(57)【要約】      （修正有）【課題】防水パンと床面の境界における防水性を十分に満たすことができる防水パン用の目地材および防水パン用の目地材の施工方法を提供する。【解決手段】防水パン１００用の目地材１０は、排水を伴う装置（洗濯機や乾燥機）を載置するとともに床面Ｔの排水口Ｔｈに連通して床面に設置される防水パンと、床面と、の境界を覆うものである。目地材は、固形の帯状に形成されている。目地材は、防水パンの外周縁１００ｂの内面１００ｇ、底面１００ｆおよび外面１００ｅをそれぞれ覆うように、防水パンの外縁に沿った方向と交差する方向の断面がＵ字形状からなる。目地材の内面を覆う内壁１０ａの底面からの高さは、外面を覆う外壁１０ｂの底面からの高さと異なる。【選択図】図４
2016084572.tif 000002
【特許請求の範囲】
【請求項１】
排水を伴う装置を載置するとともに床面の排水口に連通して前記床面に設置される防水パンと、前記床面と、の境界を覆う目地材であって、
固形の帯状に形成され、
前記防水パンの外周縁の内面、底面および外面をそれぞれ覆うように、前記防水パンの外縁に沿った方向と交差する方向の断面がＵ字形状からなり、
前記内面を覆う内壁の前記底面からの高さは、前記外面を覆う外壁の前記底面からの高さと異なる防水パン用の目地材。
【請求項２】
前記内壁および前記外壁は、前記内面と前記外面とを挟持する請求項１に記載の防水パン用の目地材。
【請求項３】
環状に形成された請求項１または２に記載の防水パン用の目地材。
【請求項４】
複数に分割されてなり、分解された状態から前記防水パンに対して一体に形成される請求項３に記載の防水パン用の目地材。
【請求項５】
可撓性、伸縮性および制振性を備えた請求項１〜４のいずれか１項に記載の防水パン用の目地材。
【請求項６】
排水を伴う装置を載置するとともに床面の排水口に連通して前記床面に設置される防水パンの外周縁の少なくとも一部に対して、固形の帯状からなり前記防水パンの外周縁の内面を覆う内壁の底面からの高さが外面を覆う外壁の前記底面からの高さと異なり前記床面に当接させる目地材を取り付けて、前記防水パンと前記床面との境界を覆う防水パン用の目地材の施工方法。
【請求項７】
床面に対して、固形の帯状からなり防水パンの外周縁の内面を覆う内壁の底面からの高さが外面を覆う外壁の前記底面からの高さと異なる目地材を取り付けてから、排水を伴う装置を載置するとともに前記床面の排水口に連通して前記床面に設置される前記防水パンの前記内面、前記底面および前記外面の少なくとも一部を前記目地材に取り付けて、前記防水パンと前記床面との境界を覆う防水パン用の目地材の施工方法。
【発明の詳細な説明】
【技術分野】
【０００１】
本発明は、例えば洗濯機を載置する防水パン用の目地材およびその施工方法に関する。
【背景技術】
【０００２】
従来から、例えば洗濯機を載置しつつ排水を下水管に流通させる防水パンがある。このような防水パンは、例えば室内の床面に設置され、床面との境界をシーリング部材によって覆うことによって、排水用に開口された部分から床下への漏水を防止する。シーリング部材には、固形の帯状からなり断面がＵ字状であって、防水パンの外周縁に対して下方から挿入するものがある（例えば、特許文献１参照。）。
【先行技術文献】
【特許文献】
【０００３】
【特許文献１】実開昭６２−８９３６６号公報
【発明の概要】
【発明が解決しようとする課題】
【０００４】
しかしながら、上記のようなシーリング部材を用いる場合、施工時に防水パンの外周縁に適切に挿入できていないと、そのシーリング部材が変形したり位置ずれしてしまうことから、防水パンと床面の間を十分に覆うことができず、排水用に開口された部分から床下に漏水してしまう虞がある。
【０００５】
本発明は、上記の課題を解決するためになされたものであり、防水パンと床面の境界における防水性を十分に満たすことができる防水パン用の目地材およびその施工方法の提供を目的とする。
【課題を解決するための手段】
【０００６】
上記目的を達成する本発明に係る防水パン用の目地材は、排水を伴う装置を載置するとともに床面の排水口に連通して床面に設置される防水パンと、床面の境界を覆うものである。目地材は、固形の帯状に形成されている。目地材は、防水パンの外周縁の内面、底面および外面をそれぞれ覆うように、防水パンの外縁に沿った方向と交差する方向の断面がＵ字形状からなる。ここで、目地材において、内面を覆う内壁の底面からの高さは、外面を覆う外壁の底面からの高さと異なる。
【０００７】
上記目的を達成する本発明に係る防水パン用の目地材の施工方法は、排水を伴う装置を載置するとともに床面の排水口に連通して床面に設置される防水パンの外周縁の少なくとも一部に対して、固形の帯状からなり防水パンの外周縁の内面を覆う内壁の底面からの高さが外面を覆う外壁の底面からの高さと異なり床面に当接させる目地材を取り付けて、防水パンと床面との境界を覆う。
【０００８】
上記目的を達成する本発明に係る防水パン用の目地材の施工方法は、床面に対して、固形の帯状からなり防水パンの外周縁の内面を覆う内壁の底面からの高さが外面を覆う外壁の底面からの高さと異なる目地材を取り付けてから、排水を伴う装置を載置するとともに床面の排水口に連通して床面に設置される防水パンの内面、底面および外面の少なくとも一部を目地材に取り付けて、防水パンと床面との境界を覆う。
【発明の効果】
【０００９】
上記のように構成した防水パン用の目地材によれば、内壁と外壁の高さが異なることによって、相対的に高さが低い壁側を防水パンの外周縁に対して引っ掛けるようにして装着可能であることから、変形や位置ずれを防止して十分に防水することができる。
【００１０】
上記のように構成した防水パン用の目地材の施工方法によれば、施工を行う作業者が、目地材の相対的に高さが低い壁側を防水パンの外周縁に対して引っ掛けるようにして容易に装着可能であることから、変形や位置ずれを防止して十分に防水しつつ、その施工性を大幅に向上させることができる。
【図面の簡単な説明】
【００１１】
【図１】実施形態に係る目地材を防水パンに取り付けた状態を示す斜視図である。
【図２】図１の目地材を防水パンに取り付ける前の状態を示す斜視図である。
【図３】図１に図示された目地材および防水パンの要部を模式的に示す斜視図である。
【図４】図３に図示された目地材および防水パンを４−４線に沿って側方から示す断面図である。
【図５】実施形態の変形例１に係る目地材を側方から示す断面図である。
【図６】実施形態の変形例２に係る目地材を示す斜視図である。
【発明を実施するための形態】
【００１２】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。
【００１３】
（実施形態）
目地材１０は、排水を伴う装置（洗濯機や乾燥機）を載置するとともに床面Ｔの排水口Ｔｈに連通して床面Ｔに設置される防水パン１００と、床面Ｔの境界を覆うものである。
【００１４】
先ず、目地材１０を取り付ける防水パン１００の構成について、図１〜図４を参照しながら説明する。
【００１５】
図１は、目地材１０を防水パン１００に取り付けた状態を示す斜視図である。図２は、図１の目地材１０を防水パン１００に取り付ける前の状態を示す斜視図である。図３は、図１に図示された目地材１０および防水パン１００の要部を模式的に示す斜視図である。図４は、図３に図示された目地材１０および防水パン１００を４−４線に沿って側方から示す断面図である。
【００１６】
防水パン１００は、床面Ｔに設置される板状の本体部１００ａを備えている。本体部１００ａは、その外周を上方に突出させた外周縁１００ｂと一体成形されている。本体部１００ａは、排水トラップを挿通して保持する排水部１００ｃを開口している。排水トラップは、例えば洗濯機の排水ホースを連結し、排水ホースからの排水を貯留しつつ臭気を遮断して、下水管に流通させるものである。本体部１００ａは、例えば洗濯機を載置する載置部１００ｄを、外周縁１００ｂよりも内方であって、その四隅から上方に突出させて備えている。外周縁１００ｂは、連続した外面１００ｅ、底面１００ｆおよび内面１００ｇから枠状に形成されている。
【００１７】
次に、目地材１０の構成について、図１〜図４を参照しながら説明する。
【００１８】
目地材１０は、固形の帯状に形成され、防水パン１００の連続した外面１００ｅ、底面１００ｆおよび内面１００ｇを環状に覆う。すなわち、目地材１０は、防水パン１００の外周縁１００ｂに環状に形成された外面１００ｅ、底面１００ｆおよび内面１００ｇに隣接するように、外面１００ｅ、底面１００ｆおよび内面１００ｇの形状に合わせて形成されている。具体的には、目地材１０は、防水パン１００の外縁に沿った方向と交差する方向の断面がＵ字形状からなる。
【００１９】
目地材１０において、内面１００ｇを覆う内壁１０ａの底面１００ｆからの高さｈ１は、外面１００ｅを覆う外壁１０ｂの底面１００ｆからの高さｈ２と異なる。例えば、図４に示すように、目地材１０は、内壁１０ａの高さｈ１が、外壁１０ｂの高さｈ２よりも相当低い。したがって、目地材１０の外壁１０ｂを掴んだ状態で、防水パン１００の外周縁１００ｂの内方から外方に向かって目地材１０を引っ張るようにすれば、内壁１０ａを防水パン１００の外周縁１００ｂに引っ掛けて固定し易い。
【００２０】
目地材１０は、防水パン１００の外面１００ｅ、底面１００ｆおよび内面１００ｇの一部のみを覆うように形成してもよい。目地材１０の外面１００ｅおよび内面１００ｇに当接する部分は、防水パン１００の横幅の方向に対して扁平に形成されている。目地材１０の底面１００ｆに当接する部分は、防水パン１００の高さ方向に対して扁平に形成されている。
【００２１】
目地材１０は、ゴム、エラストマーまたはシリコン等の材質からなる。目地材１０は、可撓性を備えた材質を用いることによって、防水パン１００や床面Ｔの形状に合わせて変形する。目地材１０は、伸縮性を備えた材質を用いることによって、防水パン１００や床面Ｔが経年劣化等によって変形しても、それらの変形に合わせて伸縮し、密着性を維持する。目地材１０は、制振性を備えた材質を用いることによって、防水パン１００に載置する洗濯機や乾燥機の振動を抑制する。
【００２２】
上述した実施形態に係る防水パン１００用の目地材１０、および防水パン１００用の目地材１０の施工方法によれば、以下の構成によって作用効果を奏する。
【００２３】
防水パン１００用の目地材１０は、排水を伴う装置（洗濯機や乾燥機）を載置するとともに床面Ｔの排水口Ｔｈに連通して床面Ｔに設置される防水パン１００と、床面Ｔの境界を覆うものである。目地材１０は、固形の帯状に形成されている。目地材１０は、防水パン１００の外周縁１００ｂの内面１００ｇ、底面１００ｆおよび外面１００ｅをそれぞれ覆うように、防水パン１００の外縁に沿った方向と交差する方向の断面がＵ字形状からなる。ここで、目地材１０において、内面１００ｇを覆う内壁１０ａの底面１００ｆからの高さｈ１は、外面１００ｅを覆う外壁１０ｂの底面１００ｆからの高さｈ２と異なる。
【００２４】
このような構成によれば、内壁１０ａと外壁１０ｂの高さが異なることによって、相対的に高さが低い壁側を防水パン１００の外周縁１００ｂに対して引っ掛けるようにして装着可能であることから、目地材１０の変形や位置ずれを防止して、十分に防水することができる。
【００２５】
特に、目地材１０の内壁１０ａの高さｈ１が、外壁１０ｂの高さｈ２よりも相当低い場合、目地材１０を、防水パン１００の外周縁１００ｂの内方から外方に向かって引っ張るようにすれば、内壁１０ａを外周縁１００ｂに引っ掛けて固定し易い。
【００２６】
また、このような構成によれば、固形の帯状に形成された目地材１０によって、防水パン１００の連続する外面１００ｅ、底面１００ｆおよび内面１００ｇの３面を覆うことから、防水パン１００に対する目地材１０の取付けの位置が自ずと定まり、確実に防水することができる。
【００２７】
さらに、目地材１０の内壁１０ａおよび外壁１０ｂは、内面１００ｇと外面１００ｅとを挟持する構成としている。
【００２８】
このような構成によれば、防水パン１００に対して目地材１０を十分に密着させて、防水性を高めることができる。
【００２９】
このような構成によれば、施工を行う作業者が、防水パン１００に対して目地材１０を脱落しないように取り付けた状態で、床面Ｔに設置することができることから、その施工性を大幅に向上させることができる。防水パン１００に対して目地材１０を取り付けるために、接着剤等を用いる必要がない。
【００３０】
さらに、目地材１０は、環状に形成されている。
【００３１】
このような構成によれば、防水パン１００の漏水箇所に依存することなく、その防水性を十分に満たすことができる。特に、建築物の壁面と防水パン１００の狭い隙間に対しても、確実に施工することができる。
【００３２】
さらに、目地材１０は、可撓性を備えた構成としている。
【００３３】
このような構成によれば、目地材１０を、防水パン１００や床面Ｔの形状に合わせて変形させることが可能となり、防水パン１００および床面Ｔに対して十分に密着させて防水することができる。特に、防水パン１００や床面Ｔが経年劣化等によって変形しても、目地材１０がそれらの変形に合わせて変形し、密着性を維持することができる。
【００３４】
さらに、目地材１０は、伸縮性を備えた構成としている。
【００３５】
このような構成によれば、防水パン１００や床面Ｔが経年劣化等によって変形しても、目地材１０がそれらの変形に合わせて変形し、密着性を維持することができる。特に、環状に形成した目地材１０を用いた場合、一時的に伸長させた状態において防水パン１００に容易に取り付けた後、縮ませた状態で防水パン１００に密着させることができる。また、環状に形成した目地材１０を用いた場合、防水パン１００の外形寸法の誤差を、目地材１０の伸縮によってキャンセルすることができる。
【００３６】
さらに、目地材１０は、制振性を備えた構成としている。
【００３７】
このような構成によれば、防水パン１００に載置する洗濯機や乾燥機の振動を目地材１０によって抑制することができる。振動の抑制に伴って、騒音も抑制することができる。さらに、振動の抑制に伴って、防水パン１００と床面Ｔとの間を十分に密閉することができる。
【００３８】
防水パン１００用の目地材１０の施工方法は、排水を伴う装置（洗濯機や乾燥機）を載置するとともに床面Ｔの排水口Ｔｈに連通して床面Ｔに設置される防水パン１００の外面１００ｅの外周縁１００ｂの少なくとも一部に対して、固形の帯状からなり防水パン１００の外周縁１００ｂの内面１００ｇを覆う内壁１０ａの底面１００ｆからの高さｈ１が外面１００ｅを覆う外壁１０ｂの底面１００ｆからの高さｈ２と異なり床面Ｔに当接させる目地材１０を取り付けて、防水パン１００と床面Ｔとの境界を覆う方法である。
【００３９】
このような施工方法によれば、施工を行う作業者が、内壁１０ａと外壁１０ｂの高さを異ならせて形成された目地材１０を防水パン１００の外周縁１００ｂに対して装着し易いことから、その施工性を大幅に向上させることができる。特に、目地材１０の内壁１０ａの高さｈ１が外壁１０ｂの高さｈ２よりも相当低い場合、その目地材１０の外壁１０ｂを掴んだ状態で、防水パン１００の外周縁１００ｂの内方から外方に向かって目地材１０を引っ張るようにすれば、その内壁１０ａを外周縁１００ｂに引っ掛けて固定し易い。
【００４０】
さらに、防水パン１００用の目地材１０の施工方法は、床面Ｔに対して、固形の帯状からなり防水パン１００の外周縁１００ｂの内面１００ｇを覆う内壁１０ａの底面１００ｆからの高さｈ１が外面１００ｅを覆う外壁１０ｂの底面１００ｆからの高さｈ２と異なる目地材１０を取り付けてから、排水を伴う装置（洗濯機や乾燥機）を載置するとともに床面Ｔの排水口Ｔｈに連通して床面Ｔに設置される防水パン１００の内面１００ｇ、底面１００ｆおよび外面１００ｅの少なくとも一部を目地材１０に取り付けて、防水パン１００と床面Ｔとの境界を覆う方法である。
【００４１】
このような施工方法によれば、施工を行う作業者が、目地材の相対的に高さが低い壁側を防水パン１００の外周縁１００ｂに対して引っ掛けるようにして容易に装着可能であることから、目地材１０の変形や位置ずれを防止して十分に防水しつつ、その施工性を大幅に向上させることができる。特に、目地材１０の内壁１０ａの高さｈ１が外壁１０ｂの高さｈ２よりも相当低い場合、その目地材１０の内壁１０ａを防水パン１００の外周縁１００ｂに引っ掛けて固定し易い。
【００４２】
また、これらの施工方法によれば、施工を行う作業者が、固形の帯状に形成された目地材１０によって、各々の技能や癖に依存することなく、一律に仕上げることが可能となり、その外観を均一にすることができる。すなわち、意匠性の向上を図ることができる。
【００４３】
また、これらの施工方法によれば、施工を行う作業者が、防水パン１００の連続する防水パン１００の外面１００ｅ、底面１００ｆおよび内面１００ｇの３面に沿わせるように、目地材１０を当接させて覆えばよいことから、防水パン１００に対する目地材１０の取り付け位置が自ずと定まり、その施工性を大幅に向上させることができる。
【００４４】
（実施形態の変形例１）
実施形態の変形例１の目地材２０について説明する。目地材２０は、外壁１０ｂを内壁１０ａよりも低くした構成が、前述した実施形態に係る目地材１０の構成と異なる。実施形態の変形例１においては、前述した実施形態と同様の構成からなるものについて同一の符号を付加し、重複する説明を省略する。
【００４５】
目地材２０の構成について、図５を参照しながら説明する。
【００４６】
図５は、目地材２０を側方から示す断面図である。
【００４７】
目地材２０において、内面１００ｇを覆う内壁２０ａの底面１００ｆからの高さｈ３は、外面１００ｅを覆う外壁２０ｂの底面１００ｆからの高さｈ４と異なる。目地材２０は、外壁２０ｂの高さｈ４が、内壁２０ａの高さｈ３よりも相当低い。したがって、目地材２０を、防水パン１００の外周縁１００ｂの外方から内方に向かって引っ張るようにすれば、外壁１０ｂを外周縁１００ｂに引っ掛けて固定し易い。
【００４８】
上述した実施形態の変形例１に係る防水パン１００用の目地材２０、および防水パン１００用の目地材２０の施工方法によれば、前述した目地材１０による作用効果に加えて、以下の構成によって作用効果を奏する。
【００４９】
このような構成によれば、内壁２０ａと外壁２０ｂの高さが異なることによって、相対的に高さが低い壁側を防水パン１００の外周縁１００ｂに対して引っ掛けるようにして装着可能であることから、目地材２０の変形や位置ずれを防止して十分に防水することができる。特に、目地材２０の外壁２０ｂの高さｈ４が、内壁２０ａの高さｈ３よりも相当低い場合、目地材２０を、防水パン１００の外周縁１００ｂの外方から内方に向かって引っ張るようにすれば、内壁１０ａを外周縁１００ｂに引っ掛けて固定し易い。
【００５０】
また、このような構成によれば、外部から視認可能な目地材２０の領域を狭めることが可能となり、意匠性の向上を図ることができる。
【００５１】
（実施形態の変形例２）
実施形態の変形例２の目地材３０について説明する。目地材３０は、目地材１０を複数に分割した構成が、前述した実施形態に係る目地材１０および２０の構成と異なる。実施形態の変形例２においては、前述した実施形態と同様の構成からなるものについて同一の符号を付加し、重複する説明を省略する。
【００５２】
目地材３０の構成について、図６を参照しながら説明する。
【００５３】
図６は、目地材３０を示す斜視図である。
【００５４】
目地材３０は、目地材１０を複数に分割したものに相当する。目地材３０は、防水パン１００の四隅の部分に対応する湾曲した湾曲部３１と、隣り合う湾曲部３１を結ぶ線状の延伸部３２から、構成されている。すなわち、目地材３０は、４つの湾曲部３１と４つの延伸部３２を交互に組み合わせて構成されている。目地材３０は、例えば、長尺の基材から湾曲部３１と延伸部３２を切り出して形成する。湾曲部３１と延伸部３２は、予め工場等で形成してもよいし、防水パン１００を床面Ｔに設置する施工現場で形成してもよい。
【００５５】
上述した実施形態の変形例２に係る防水パン１００用の目地材３０、および防水パン１００用の目地材３０の施工方法によれば、前述した目地材１０および２０による作用効果に加えて、以下の構成によって作用効果を奏する。
【００５６】
防水パン１００用の目地材３０は、複数に分割されてなり、分解された状態から防水パン１００に対して一体に形成される。
【００５７】
このような構成によれば、複数の部材を組み合わせて目地材３０を構成することが可能となり、様々な防水パン１００の形状に対応することができる。また、防水パン１００の外形寸法の誤差を、複数の部材を組み合わせる目地材３０によってキャンセルすることができる。
【００５８】
このような構成によれば、施工を行う作業者が、様々な防水パン１００の形状に対応して目地材３０を施工することが可能となり、その施工性を大幅に向上させることができる。また、施工を行う作業者が、防水パン１００の外形寸法の誤差を、複数の部材を組み合わせる目地材３０によってキャンセルすることが可能となり、その施工性を大幅に向上させることができる。
【００５９】
以上、本発明における好適な実施形態を説明したが、これらは本発明を説明するための例示であり、本発明の範囲をこれらの実施形態にのみ限定する趣旨ではない。したがって、本発明は、その要旨を逸脱しない範囲で、上述した実施形態とは異なる種々の態様で実施することができる。すなわち、本発明は、特許請求の範囲に記載された構成に基づき様々な改変が可能であり、それらについても本発明の範疇である。
【００６０】
例えば、目地材１０および２０は、防水パン１００の全周に用いる構成に限定されることなく、建築物の壁面に面していない防水パン１００と床面Ｔの境界のみに用いてもよいし、建築物の壁面に面した防水パン１００と床面Ｔの境界のみに用いてもよい。
【符号の説明】
【００６１】
１０，２０，３０  目地材、
１０ａ，２０ａ  内壁、
１０ｂ，２０ｂ  外壁、
３１      湾曲部、
３２      延伸部、
１００    防水パン、
１００ａ  本体部、
１００ｂ  縁部、
１００ｃ  排水部、
１００ｄ  載置部、
１００ｅ  外面、
１００ｆ  底面、
１００ｇ  内面、
Ｔ        床面、
Ｔｈ      排水口。
【図１】
2016084572.tif 000003
【図２】
2016084572.tif 000004
【図３】
2016084572.tif 000005
【図４】
2016084572.tif 000006
【図５】
2016084572.tif 000007
【図６】
2016084572.tif 000008